(57)【要約】【課題】天井の表側（下側）からの簡単な操作のみで、仮止めの解除が可能となるスピーカユニットの取付構造を提供する。【解決手段】キャビネット部２を天井６０の取付孔６１内に挿入した状態でスピーカユニット１を仮止めする仮止め機構１０を備える。仮止め機構１０は、キャビネット部２の側面２ｃに取り付けられて、取付孔６１の内周縁６１ａに係合する段状の係合部１３を有する弾性金属製の仮止めタブ１１を備える。仮止めタブ１１の係合部１３が取付孔６１の内周縁６１ａに係合した仮止め状態で、天井６０の表側６０ａから、当該表側６０ａとスピーカユニット１のフランジ部５との隙間Ｘに露出する仮止めタブ１１の操作部１５を指で押圧して弾性変形させることで、取付孔６１の内周縁６１ａに対する係合部１３の係合を解除可能である。【選択図】図３
2014017810.tif 000002
【特許請求の範囲】
【請求項１】
取付部位に形成した開口部に取り付けるスピーカユニットであって、
側面及び底面を有するキャビネット部と、
前記キャビネット部の前記底面に設けたスピーカ面と、
前記キャビネット部の前記側面に設けられ、前記キャビネット部の少なくとも一部を前記取付部位の表側から前記開口部に挿入した状態で前記スピーカユニットを仮止め係合する仮止機構と
を備え、
前記仮止機構は、当該スピーカユニットを前記取付部位に仮止め係合するための係合部と、前記係合部を介して当該スピーカユニットを仮止め係合した状態で前記取付部位の表側に露出し、当該露出箇所への操作に応じて、前記係合部を介した当該スピーカユニットの前記取付部位への係合を解除する操作部とを有する
ことを特徴とするスピーカユニット。
【請求項２】
取付部位に形成した開口部にスピーカユニットを取り付けるための、スピーカユニットの取付構造であって、前記スピーカユニットは、側面及び底面を有するキャビネット部と、前記キャビネット部の前記底面に設けたスピーカ面とを備え、
前記取付構造は、前記キャビネット部の少なくとも一部を前記取付部位の表側から前記開口部に挿入した状態で前記スピーカユニットを仮止めする仮止め機構を備え、
前記仮止め機構は、前記キャビネット部の前記側面に取り付けられた弾性材からなる仮止め片を備え、
前記仮止め片は、
前記取付部位の裏側における前記開口部の内周縁に係合することで、前記スピーカユニットを前記開口部に仮止め状態とする係合部と、
前記仮止め状態で、開口部と前記キャビネット部との隙間から前記取付部位の表側に露出する操作部と、を有し、
前記取付部位の表側から前記操作部が操作されると、前記仮止め片が弾性変形して前記係合部の係合が解除される
ことを特徴とするスピーカユニットの取付構造。
【請求項３】
前記キャビネット部の前記底面の外周縁から径方向の外側へ突出するフランジ部を更に備え、
前記仮止め状態で、前記取付部位の表側には、前記フランジ部との間に隙間が形成され、
前記隙間を介して手の指で前記操作部が操作されることで、前記係合部の係合が解除されるように構成した
ことを特徴とする請求項２に記載のスピーカユニットの取付構造。
【請求項４】
前記仮止め片は、前記キャビネット部の前記側面に取り付ける取付部と、前記取付部から前記キャビネット部の径方向の外側かつ前記底面側に向かって延伸する傾斜部と、前記傾斜部の先端から径方向の内側に向かって延伸する前記係合部と、前記係合部の先端から前記キャビネット部の底面側に向かって延伸する前記操作部とを一体に備える
ことを特徴とする請求項２又は３に記載のスピーカユニットの取付構造。
【請求項５】
前記仮止め片は、前記操作部が押圧操作されることで前記係合部の係合が解除される構成であり、
前記操作部は、前記キャビネット部の前記側面に対して間隔を有して配置されている
ことを特徴とする請求項２乃至４のいずれか１項に記載のスピーカユニットの取付構造。
【請求項６】
前記キャビネット部の前記底面及びその近傍の外周を囲み、その外周縁が前記開口部の前記内周縁に沿って配置される底部カバーを備え、
前記底部カバーには、前記操作部との間に前記間隔を有してなる窪み部が形成されている
ことを特徴とする請求項５に記載のスピーカユニットの取付構造。
【請求項７】
前記仮止め機構で前記開口部に仮止めした前記スピーカユニットを本固定するための固定機構を更に備え、
前記固定機構は、前記キャビネット部の側方で移動可能に設置した固定用部材を備え、前記フランジ部と固定用部材とで前記開口部の前記内周縁を挟持して前記スピーカユニットを固定する構造である
ことを特徴とする請求項２乃至６のいずれか１項に記載のスピーカユニットの取付構造。
【請求項８】
前記キャビネット部の前記側面が複数の面からなり、
前記側面の複数の面の各々に関連付けて、少なくとも１組の前記仮止め機構と前記固定機構が配置されている
ことを特徴とする請求項７に記載のスピーカユニットの取付構造。
【請求項９】
前記スピーカユニットは、前記仮止め機構と前記固定機構の組を複数組備える
ことを特徴とする請求項７に記載のスピーカユニットの取付構造。
【発明の詳細な説明】
【技術分野】
【０００１】
本発明は、天井や側壁などの取付部位に形成した開口部に埋め込んで設置する埋込型のスピーカユニット及び該スピーカユニットを取り付けるための取付構造に関する。
【背景技術】
【０００２】
従来、例えば特許文献１に示すように、室内の天井などに形成した開口部に埋め込んで設置する埋込型のスピーカユニット（シーリングスピーカ）がある。このようなスピーカユニットは、略円筒状のキャビネット部と、キャビネット部の底面に設けたスピーカ面とを備える。そして、スピーカ面を天井の表面（下面）側に露出させた状態でキャビネット部を天井の取付孔に差し込み、その状態でボルトなどの締結によって固定する。このようなスピーカの取付構造には、ボルトなどの締結前や締結の解除後に重量物であるスピーカユニットが誤って落下することを防止するため、例えば特許文献１に示すような仮止め構造が設けられている。
【０００３】
特許文献１に記載の仮止め構造は、スピーカハウジング（キャビネット部）を天井の天井孔に挿入した状態で、スピーカハウジングの上壁に取り付けられて天井の裏面側に伸延している弾性片（仮固定片）の先端部が天井孔よりも外側において天井の裏面に当接するように構成している。この弾性片の当接によって、スピーカユニットが開口部から落下しない状態で仮止めされるようになっている。
【先行技術文献】
【特許文献】
【０００４】
【特許文献１】特開２００４−１２０１９２号公報
【発明の概要】
【発明が解決しようとする課題】
【０００５】
しかしながら、特許文献１に示す仮止め構造では、一度、弾性片の先端部を天井（開口部の外周の天井）の裏面に当接係合させて仮止め状態とすると、スピーカの取付作業者が通常行う天井の表側（下側）からの作業のみでは、弾性片の先端部の係合を外すことができない。そのため、仮止め状態のスピーカユニットを天井孔から簡単には抜き取ることができない。したがって、スピーカユニットの取り付け作業において、一度仮止めしたスピーカユニットを何らかの事情で取り外したい場合や、スピーカユニットの取り外し作業において、本固定を解除した後の仮止め状態のスピーカユニットを天井孔から抜き取る場合の作業性が良くないという不都合があった。
【０００６】
本発明は上述の点に鑑みてなされたものであり、その目的は、部品点数を少なく抑えた簡単な構成で、取付部位の表側からの簡単な操作のみで仮止め状態の解除が可能となるスピーカユニット及びその取付構造を提供することにある。
【課題を解決するための手段】
【０００７】
上記課題を解決するため、本発明に係るスピーカユニット（１）は、取付部位（６０）部に形成した開口部（６１）に取り付けるスピーカユニット（１）であって、側面（２ｃ）及び底面（２ａ）を有するキャビネット部（２）と、前記キャビネット部（２）の前記底面（２ａ）に設けたスピーカ面（４）と、前記キャビネット部（２）の前記側面（２ｃ）に設けられ、前記キャビネット部（２）の少なくとも一部を前記取付部位（６０）部の表側から前記開口部（６１）に挿入した状態で前記スピーカユニット（１）を仮止め係合する仮止機構（１０）とを備え、前記仮止機構を、前記キャビネット部の前記側面に設け、前記仮止機構（１０）は、当該スピーカユニット（１）を前記取付部位（６０）に仮止め係合するための係合部（１３）と、前記係合部を介してが当該スピーカユニット（１）を仮止め係合した状態で前記取付部位（６０）の表側に露出し、当該露出箇所への操作に応じて、前記係合部（１３）を介した当該スピーカユニット（１）の前記取付部位（６０）への係合を解除する操作部（１５）とを有することを特徴とする。
【０００８】
また、本発明にかかるスピーカユニットの取付構造は、取付部位（６０）に形成した開口部（６１）にスピーカユニット（１）を取り付けるための、スピーカユニットの取付構造であって、スピーカユニット（１）は、側面（２ｃ）及び底面（２ａ）を有するキャビネット部（２）と、キャビネット部（２）の底面（２ａ）に設けたスピーカ面（４）とを備え、前記取付構造は、キャビネット部（２）の少なくとも一部を取付部位（６０）の表側（６０ａ）から開口部（６１）に挿入した状態でスピーカユニット（１）を仮止めする仮止め機構（１０）を備え、仮止め機構（１０）は、キャビネット部（２）の側面（２ｃ）に取り付けられた弾性材からなる仮止め片（１１）を備え、仮止め片（１１）は、取付部位（６０）の裏側（６０ｂ）における開口部（６１）の内周縁（６１ａ）に係合することで、スピーカユニット（１）を開口部（６１）に仮止め状態とする係合部（１３）と、仮止め状態で、開口部（６１）とキャビネット部（２）との隙間（Ｘ，７ａ）から取付部位（６０）の表側（６０ａ）に露出する操作部（１５）と、を有し、取付部位（６０）の表側（６０ａ）から操作部（１５）が操作されると、仮止め片（１１）が弾性変形して係合部（１３）の係合が解除されることを特徴とする。
【０００９】
本発明にかかるスピーカユニットの取付構造によれば、天井や側壁など取付部位の表側から操作部を操作して、仮止め片を弾性変形させて係合部の係合を解除するだけで、仮止め機構による仮止めを簡単に外すことができる。これにより、スピーカユニットの取り付け又は取り外しの際に、仮止め片でスピーカユニットを仮止めした状態で、取付部位の表側からの手作業などによる簡単な操作で仮止めを解除することが可能となる。したがって、スピーカユニットの取り付け作業において、一度仮止めしたスピーカユニットを取り外したい場合や、スピーカユニットの取り外し作業において、本固定を解除した後の仮止め状態のスピーカを開口部から抜き取る場合の作業性を向上させることができる。
【００１０】
一実施例によれば、キャビネット部（２）の底面（２ａ）の外周縁から径方向の外側へ突出するフランジ部（５）を更に備え、仮止め状態で、取付部位（６０）の表側（６０ａ）には、フランジ部（５）との間に隙間（Ｘ）が形成され、隙間（Ｘ）を介して手の指で操作部（１５）が操作されることで、係合部（１３）の係合が解除されるように構成するとよい。
【００１１】
この構成によれば、仮止め状態で、取付部位の表側のフランジ部との間に上記の隙間が形成されるので、この隙間を用いて取付部位の表側から手の指で仮止め片を操作することで、仮止め片の係合を解除することができる。したがって、簡単な構成で、取付部位の表側からの手作業による簡単な操作のみで仮止め片による仮止めを解除することが可能となる。
【００１２】
また、この構成によれば、キャビネット部の底面を手の平で支えながら、その手の指を上記の隙間に差し込んで仮止め片の操作部を操作することが可能となる。これにより、重量物であるスピーカユニットを手で確実に支えながら仮止め片の係合を解除できるので、仮止めの解除を安全かつ迅速に行うことが可能となる。
【００１３】
一実施例によれば、、仮止め片（１１）は、キャビネット部（２）の側面（２ｃ）に取り付ける取付部（１２）と、取付部（１２）からキャビネット部（２）の径方向の外側かつ底面（２ａ）側に向かって延伸する傾斜部（１４）と、傾斜部（１４）の先端から径方向の内側に向かって延伸する係合部（１３）と、係合部（１３）の先端からキャビネット部（２）の底面（２ａ）側に向かって延伸する操作部（１５）とを一体に備えるとよい。
【００１４】
この構成によれば、上記の各部を一体に備える仮止め片によって、係合部を開口部の内周縁に係合させた仮止め状態で、取付部位の表側から操作部を操作して仮止め片を弾性変形させて、開口部の内周縁に対する係合部の係合を容易に解除できる。したがって、単一の仮止め片のみからなる部品点数を少なく抑えた簡単な構成でありながら、取付部位の表側からの手作業などによる簡単な操作でスピーカユニットの仮止めを解除可能となる。
【００１５】
また、仮止め片（１１）に取付部（１２）からキャビネット部の径方向の外側かつ底面側に向かって傾斜方向に延伸する傾斜部を設けたので、キャビネット部を開口部に挿入する際に、この傾斜部が開口部の内周縁に当接することで、係合部が開口部の内周縁を乗り越えて該内周縁に係合するようになる。したがって、キャビネット部を開口部に挿入するだけで、開口部の内周縁に係合部を係合させることができる。これにより、工具などを必要とせず、キャビネット部を開口部に挿入する簡単な作業だけでスピーカユニットの仮止めが可能となる。
【００１６】
一実施例によれば、仮止め片（１１）は、操作部（１５）が押圧操作されることで係合部（１３）の係合が解除される構成であり、操作部（１５）は、キャビネット部（２）の側面（２ｃ）に対して間隔（Ｙ）を有して配置されているとよい。
【００１７】
この構成によれば、係合部を開口部の内周縁に係合させた仮止め状態で、取付部位の表側から操作部を押圧操作して、該操作部を上記間隔の寸法分移動させることで仮止め片をキャビネット部側へ弾性変形させることができる。これにより、開口部の内周縁に対する係合部の係合を容易に解除できる。したがって、簡単な構成で取付部位の表側からの手作業などによる簡単な押圧操作でスピーカユニットの仮止めを解除可能となる。
【００１８】
またこの場合、キャビネット部（２）の底面（２ａ）及びその近傍の外周を囲み、その外周縁（７ｃ）が開口部（６１）の内周縁（６１ａ）に沿って配置される底部カバー（７）を備え、底部カバー（７）には、操作部（１５）との間に上記の間隔（Ｙ）を有してなる窪み部（７ａ）が形成されているとよい。
【００１９】
この構成によれば、底部カバーに上記の窪み部を形成したことで、仮止め機構でスピーカユニットを開口部内に仮止めした状態で、この窪み部を介して仮止め片の操作部を取付部位の表側に露出させることができる。したがって、仮止め状態で取付部位の表側から仮止め片を押圧する操作が確実に行えるようになる。また、窪み部によって押圧操作される仮止め片の可動スペースを確保できるので、仮止め片の押圧操作で係合部の係合を確実に解除することが可能となる。
【００２０】
一実施例によれば、仮止め機構（１０）で開口部（６１）に仮止めしたスピーカユニット（１）を本固定するための固定機構（３０）を更に備え、固定機構（３０）は、キャビネット部（２）の側方で移動可能に設置した固定用部材（３１）を備え、フランジ部（５）と固定用部材（３１）とで開口部（６１）の内周縁（６１ａ）を挟持してスピーカユニット（１）を固定する構造であってよい。この構成によれば、上記のような固定機構を備えることで、仮止め機構によって開口部内に仮止めしたスピーカユニットを開口部内に本固定することができる。
【００２１】
一実施例によれば、キャビネット部（２）の前記側面（２ｃ）が、複数の面（６）からなり、前記側面（２ｃ）の複数の面（６）の各々に関連付けて、それぞれ少なくとも１組の仮止め機構（１０）と固定機構（３０）が配置されているとよい。この場合、前記複数の面（６）は、全体として筒状（若しくは角柱状の）キャビネット部（２）の側面（２ｃ）において、中心軸に対して外径側の複数方向を向いて配置されることになる。
【００２２】
この構成によれば、仮止め機構と固定機構がキャビネット部の側面における径方向の外側の一方を向く一の面内に配置されていることで、スピーカユニットの取り付け作業において、キャビネット部の中心軸に対して仮止め位置と本固定の位置を同じ側とすることができる。したがって、仮止め機構によって仮止めしたスピーカユニットを、固定機構にて安定した状態で確実に本固定できるようになる。また、仮止め機構と固定機構が同一の面内に配置されていることで、スピーカユニットの取付作業の効率が向上する。
【００２３】
一実施例によれば、スピーカユニット（１）は、仮止め機構（１０）と固定機構（３０）の組を複数組備えるとよい。この構成によれば、仮止め機構と固定機構との組をスピーカユニットに複数組設けたことで、スピーカユニットの仮止め及び本固定それぞれが複数箇所で行われるようになる。したがって、スピーカユニットの仮止め及び本固定を安定させることができる。
なお、上記の括弧内の符号は、単なる参考のために、後述する実施形態における構成要素の符号を本発明の一例として示したものである。
【発明の効果】
【００２４】
本発明にかかるスピーカユニット及びその取付構造によれば、部品点数を少なく抑えた簡単な構成で、取付部位の表側からの簡単な操作のみで、スピーカユニットの仮止め状態の解除が可能となる。
【図面の簡単な説明】
【００２５】
【図１】本発明にかかるスピーカユニットの一実施例を、それを取り付ける取付孔の一例と共に、概略的に説明する斜視図である。
【図２】本発明の一実施形態にかかる取付構造を備えたスピーカユニット及びそれを取り付ける取付孔の斜視図である。
【図３】スピーカユニットを天井の取付孔（開口部）に仮止めした状態を示す一部断面側面図である。
【図４】仮止めタブ及びその周辺（図３のＺ部分）の詳細構成を示す拡大断面図である。
【図５】ストッパー機構の構成及び動作を説明するための概略の斜視図で、（ａ）は、ストッパー片が初期位置にある状態、（ｂ）は、ストッパー片が初期位置から回動した状態、（ｃ）は、ストッパー片が固定位置にある状態を示す図である。
【図６】スピーカユニットの概略平面図で、仮止め機構とストッパー機構の配置構成を説明するための図である。
【図７】スピーカユニットを天井の取付孔に取り付ける手順を説明するための図である。
【図８】天井の取付孔に取り付けたスピーカユニットを取り外す手順を説明するための図である。
【発明を実施するための形態】
【００２６】
以下、添付図面を参照して本発明の実施形態を詳細に説明する。
【００２７】
図１は、本発明にかかるスピーカユニットの一実施例を、それを取り付ける取付孔の一例と共に、概略的に説明する斜視図である。本発明にかかるスピーカユニット１は、天井等の取付部位６０に形成した開口部６１に取り付けるのに適した構造からなっている。スピーカユニット１は、側面２ｃ及び底面２ａを有するキャビネット部２と、キャビネット部２の底面２ａに設けたスピーカ面４とを備える。スピーカユニット１は更に仮止め機構１０を備え、該仮止め機構１０は、キャビネット部２の側面２ｃに設けられ、該キャビネット部２の少なくとも一部を取付部位６０（例えば天井）の表側６０ａから開口部６１に挿入した状態で、取付部位６０に対してスピーカユニット１を仮止め係合する。仮止め機構１０は、取付部位６０に仮止め係合する係合部１３と、この仮止め係合した状態で、取付部位６０の表側６０ａに露出する操作部１５とを有する。このように構成することで、部品点数を少なく抑えた簡単な構成で、取付部の表側からの簡単な操作のみで、スピーカユニット１の仮止めおよび仮止め状態の解除を行うことができる。
【００２８】
更に、本発明の一実施形態のより具体的な一例について、図２〜図８を参照して説明する。図２は、本発明の一実施形態にかかる取付構造を備えたスピーカユニット１の斜視図である。また、図３は、スピーカユニット１を天井６０の取付孔６１に仮止めした状態を示す側面図（一部断面図）である。なお、図３では、スピーカユニット１の中心線より左側の部分は、後述する仮止め機構１０の位置での縦断面を示しており、中心線より右側の部分は、後述するストッパー機構３０の位置での縦断面を示している。図２に示すように、本実施形態のスピーカユニット１は、室内の天井（取付部位）６０に形成した取付孔（開口部）６１に埋め込んで設置する埋込型のスピーカユニット（シーリングスピーカ）である。
【００２９】
また、図２及び図３に示す天井６０の取付孔６１は、天井６０の表側（下側）６０ａから裏側（上側）６０ｂに貫通する円形の貫通孔からなる。取付孔６１には、取付用金具６５が設置されている。この取付用金具６５は、取付孔６１の内周縁６１ａに沿う円形環状の薄板状部材である。取付用金具６５は、取付孔６１の内周縁６１ａの上面に被さる上壁６５ａと、取付孔６１の内周縁６１ａの内周面に被さる側壁６５ｂとを有しており、その断面が略Ｌ字型に形成されている。この取付用金具６５は、天井６０の裏側６０ｂから取付孔６１の内周縁６１ａに載置して取り付ける。なお、以下の説明では、取付孔６１の内周縁６１ａというときは、取付用金具６５を設置した状態での取付孔６１の内周縁を示すものとする。
【００３０】
スピーカユニット１は、天井６０の取付孔６１内に収容される筒状のキャビネット部２と、キャビネット部２の底面２ａに設けたスピーカ面（スピーカの発音前面）４とを備える。なお、図３などでは、キャビネット部２は外形線のみを図示しており、その内部構造は図示を省略している。また、以下の説明で上又は下というときは、筒状のキャビネット部２の軸方向（図２に示す上下方向）を指すものとする。また、キャビネット部２の底面２ａ及びその近傍の外周には、底部カバー７が設けられている。底部カバー７は、キャビネット部２の底面２ａ及びその上側の一部の外周を囲む環状の部分であって、その外周面（外周縁）７ｃの径寸法は、取付孔６１の内周縁６１ａよりも僅かに小さな径寸法であって、キャビネット部２の上端側の外径寸法よりも大きな寸法になっている。したがって、底部カバー７は、キャビネット部２の底面２ａ及びその近傍の外周面において外径側に突出する環状の突起として形成されている。また、この底部カバー７は、スピーカユニット１を取付孔６１ａに設置した状態で、その外周面７ｃが取付孔６１の内周縁６１ａ沿って僅かな隙間を介して対向するように形成されている。なお、本実施形態では、底部カバー７は、合成樹脂製の部材であり、底部カバー７よりも上側のキャビネット部２は、金属製の部材である。そして、底部カバー７の外周面７ｃには、後述する仮止めタブ１１の操作部１５を配置するための窪み部７ａが形成されている。窪み部７ａは、底部カバー７の外周面７ｃを平面視で略矩形型に切り欠いた形状の凹部からなる。
【００３１】
また、底部カバー７の下端外周縁には、径方向の外側へ突出する薄板状のフランジ部５が形成されている。フランジ部５は、底部カバー７と一体に形成されており、キャビネット部２の底面２ａ（スピーカ面４）と同一の高さ位置でその面が径方向の外側へ延びる環状の縁部として形成されている。
【００３２】
スピーカユニット１には、キャビネット部２を取付孔６１内に挿入した状態で仮止めするための仮止め機構１０が設けられている。仮止め機構１０は、キャビネット部２の側面２ｃに取り付けられた仮止めタブ（仮止め片）１１を備える。図４は、図３のＺ部分の部分拡大図で、仮止めタブ１１及びその周辺の詳細構成を示す図である。仮止めタブ１１は、弾性金属製の細板からなり、キャビネット部２の側面２ｃにネジ１２ａの締結で取り付けられる取付部１２と、天井６０の裏側６０ｂにおける取付孔６１の内周縁６１ａに係合する段状の係合部１３と、取付部１２からキャビネット部２の径方向の外側かつ底面２ａ側に向かって斜め下方に延伸して係合部１３の外径端１３ａに接続される傾斜部１４と、係合部１３の内径端１３ｂからキャビネット部２の底面２ａ側に向かって縦方向に延伸する操作部１５とを一体に備えて構成されている。
【００３３】
ここで、仮止めタブ１１の各部の配置及び寸法について説明する。図４に示すように、仮止めタブ１１は、キャビネット部２の側面２ｃに取付部１２を取り付けた状態で、操作部１５が底部カバー７の窪み部７ａ内に配置される。その状態で、操作部１５は、窪み部７ａの内側面（キャビネット部２の側面２ｃ）との間に間隔Ｙを有して配置される。また、キャビネット部２を取付孔６１内に設置した状態で、仮止めタブ１１の係合部１３の外径端１３ａの位置Ｄ１が取付孔６１内周縁６１ａの位置Ｄ２よりも外径側に位置するようになっている。さらに、操作部１５を押圧して窪み部７ａの奥側へ退避させた状態（図７（ｂ）参照）で、傾斜部１４などの弾性変形によって、係合部１３の外径端１３ａが取付孔６１の内周縁６１ａよりも内径側に位置するようになっている。
【００３４】
また、仮止めタブ１１の操作部１５の長さ寸法Ｌ１は、天井６０の厚さ寸法Ｈ１よりも大きな寸法に設定されている（Ｌ１＞Ｈ１）。したがって、仮止めタブ１１の係合部１３が取付孔６１の内周縁６１ａに係合（当接）した状態で、操作部１５が天井６０の表側６０ａに突出した状態となる。この天井６０の表側６０ａに突出する操作部１５は、天井６０の表側（表面）６０ａとフランジ部５との隙間Ｘに面して配置される。したがって、後述するように、隙間Ｘに挿入した手の指で操作部１５を押圧操作することが可能となる。
【００３５】
また、図２及び図３に示すように、スピーカユニット１には、仮止め機構１０で取付孔６１内に仮止めしたスピーカユニット１を本固定するためのストッパー機構（固定機構）３０が設けられている。ストッパー機構３０は、キャビネット部２の側方で上下方向へ移動可能に設置したストッパー片（固定用部材）３１を備える。そして、フランジ部５とストッパー片３１との間に取付孔６１の内周縁６１ａを挟持することでスピーカユニット１を固定する構造である。
【００３６】
図５は、ストッパー機構３０の構成及び動作を説明するための概略の斜視図で、（ａ）は、ストッパー片３１が後述する初期位置にある状態、（ｂ）は、ストッパー片３１が初期位置から回動した状態、（ｃ）は、ストッパー片３１が後述する固定位置にある状態を示す図である。ストッパー機構３０は、ネジ軸３３を回転自在に支持する枠部３５と、ネジ軸３３に螺合してその一部が枠部３５内に設置された略柱形状のストッパー片３１とを備える。なお、図５では、図２に示すものと比較して、ストッパー片３１の形状を簡略化して図示している。図５に示すように、ネジ軸３３は、スピーカユニット１の底面２ａ（スピーカ面４）に露出する頭部３３ａと、頭部３３ａからキャビネット部２の軸方向（上下方向）に沿って底部カバー７を貫通し、枠部３５内を上壁３５ａまで延びる軸部３３ｂとを有する。軸部３３ｂの外周面には、ネジ溝が形成されている。軸部３３ｂの上端は、枠部３５の上壁３５ｅに対して回転自在に取り付けられている。ネジ軸３３は、スピーカユニット１の底面２ａ側から頭部３３ａをドライバーなどの工具（図示せず）で回転させることで、枠部３５内で軸周りに回転するようになっている。また、ストッパー片３１は、その根元側の端部の近傍がネジ軸３３に螺合しており、ネジ軸３３の回転に伴い天井６０と平行な面内でネジ軸３３と一体に回転可能、かつ、ネジ軸３３に対してネジの送りで上下方向に移動可能となっている。ストッパー片３１は、枠部３５の前面に形成した縦方向に延びるスリット状の開口３５ａ内と、枠部３５の一の側壁３５ｄの上端に形成した切欠部３５ｃ内とを移動するようになっている。
【００３７】
上記構成のストッパー機構３０では、ストッパー片３１が開口３５ａ内の最上端に位置しているときには、ネジ軸３３が反時計回りに回転することで、図５（ａ）に示すように、ストッパー片３１が同方向に回動して切欠部３５ｃ内に配置される。この位置をストッパー機構３０の初期位置という。この初期位置で、スピーカユニット１の底面２ａ側からネジ軸３３の頭部３３ａをドライバーなどの工具で回転させることで、ネジ軸３３を時計回りに回転させると、ネジ軸３３に螺合しているストッパー片３１が同方向に回動する。ストッパー片３１は、図５（ｂ）に示すように、初期位置から反時計回りに９０°回転した位置で枠部３５の側壁３５ｂに当接することで、それ以上の回動が規制される。そこからネジ軸３３をさらに時計回りに回転させると、ネジ軸３３の回転に従いストッパー片３１が開口３５ａ内を底部カバー７側へ下降してゆく。その後、ストッパー片３１の下面３１ｂが取付孔６１の内周縁６１ａ（天井６０の裏側６０ｂ）に当接する。
【００３８】
ネジ軸３３に対してストッパー片３１を更に下降させると、天井６０に対して取付孔６１内のスピーカユニット１の位置が次第に上昇してゆく。最終的に、ストッパー片３１の下面３１ｂとフランジ部５とで取付孔６１の内周縁６１ａが挟持されて、取付孔６１内でのスピーカユニット１の固定（本固定）がなされる。以下、この位置をストッパー機構３０の固定位置という。
【００３９】
一方、ストッパー機構３０によるスピーカユニット１の固定（本固定）を解除するには、ストッパー機構３０が上記の固定位置にある状態で、ネジ軸３３を反時計回りに回転させる。これにより、ネジ軸３３に対してストッパー片３１が上昇することで、ストッパー片３１とフランジ部５とによる取付孔６１の内周縁６１ａの挟持が解除される。さらにネジ軸３３を時計回りに回転させるとストッパー片３１が上昇し、取付孔６１内でスピーカユニット１の位置が次第に下降してゆく。最終的には、仮止めタブ１１の係合部１３が天井６０の裏側６０ｂ（取付孔６１の内周縁６１ａ）に当接する位置でスピーカユニット１の下降が停止する。その後、さらにネジ軸３３を時計回りに回転させると、ストッパー片３１が開口３５ａの最上端まで上昇し、そこから反時計回りに回転して初期位置に戻る。
【００４０】
図６は、スピーカユニット１の概略平面図で、仮止め機構１０とストッパー機構３０の配置構成を説明するための図である。同図に示すように、本実施形態のスピーカユニット１が備えるキャビネット部２は、上方から見た平面視の形状が、キャビネット部２の中心軸（筒状の中心軸）Mに対して、周囲（径方向の外側）の互いに異なる三方向（等間隔の三方向）を向く平面状の面６を有する形状（概略三角柱形状）になっている。そして、仮止め機構１０とストッパー機構３０は、スピーカユニット１のキャビネット部２の側面２ｃにおける各面６内に一個ずつ並べて配置されている。したがって、仮止め機構１０とストッパー機構３０は、キャビネット部２の周囲の三方向を向く面６それぞれに１個ずつが設置されており、合計３個ずつが設置されている。すなわち、キャビネット部２の周囲の三方向を向く面６それぞれには、仮止め機構１０とストッパー機構３０の組が一組ずつ設置されており、スピーカユニット１には、仮止め機構１０とストッパー機構３０の組が合計三組設置されている。
【００４１】
なお、各仮止め機構１０の仮止めタブ１１は互いが同一形状であり、かつ、同一の高さ位置に設置されている。同様に、各ストッパー機構３０は、互いが同一の構成であって、かつ、同一の高さ位置に設置されている。また、ストッパー機構３０が備えるストッパー片３１の上限位置（開口３５ａ内での上限位置）は、仮止めタブ１１の係合部１３の高さ以上の位置に設定されている。
【００４２】
次に、上記構成のスピーカユニット１を天井６０の取付孔６１に取り付ける手順を説明する。図７は、この手順を説明するための図である。スピーカユニット１を天井６０の取付孔６１に取り付けるには、図７（ａ）に示すように、予め天井６０の取付孔６１の内周縁６１ａに取付用金具６５を設置しておく。そして、ストッパー機構３０のストッパー片３１は、上記の初期位置に戻しておく。その状態で、スピーカユニット１のキャビネット部２を天井６０の表側６０ａから取付孔６１に挿入し、取付孔６１内で上方に押し上げてゆく。
【００４３】
キャビネット部２が取付孔６１内を上昇する過程で、取付孔６１の内周縁６１ａが仮止めタブ１１の傾斜部１４に当接する。その状態でスピーカユニット１を更に押し上げると、図７（ｂ）に示すように、取付孔６１の内周縁６１ａで押圧された傾斜部１４が弾性変形により内径側へ撓むことで、傾斜部１４及び係合部１３が取付孔６１の内周縁６１ａを乗り越えて、天井６０の裏側６０ｂへ移動する。傾斜部１４及び係合部１３が取付孔６１の内周縁６１ａを乗り越えたら、仮止めタブ１１が弾性力で元の形状に復帰することで、図７（ｃ）に示すように、係合部１３が取付孔６１の内周縁６１ａに係合する。これにより、スピーカユニット１が取付孔６１内で仮止め状態となる。したがって、作業者がスピーカユニット１を支えなくても、取付孔６１からスピーカユニット１が落下しない状態となる。なお、本実施形態のスピーカユニット１には、上記の仮止めタブ１１がキャビネット部２の周方向の３箇所に設置されている。そのため、これら３箇所の仮止めタブ１１でキャビネット部２の周方向の３箇所が均等に仮止めされた状態となる。
【００４４】
上記の仮止め状態で、ストッパー機構３０によるスピーカユニット１の本固定を行う。これには、スピーカユニット１の底面２ａ側からネジ軸３３の頭部３３ａをドライバーなどの工具で回転させることで、初期位置にあるストッパー片３１を回転させ、さらに開口３５ａ内を底部カバー７側へ下降させる。これにより、ストッパー片３１の下面３１ｂが取付孔６１の内周縁６１ａ（天井６０の裏側６０ｂ）に当接する。その状態からネジ軸３３を更に回転させると、ネジ軸３３に対してストッパー片３１がさらに下降する。このとき、天井６０の位置（上下方向の位置）は不変であるため、天井６０の裏側６０ｂがストッパー片３１で押圧されることで、スピーカユニット１が上方へ押し上げられる。これにより、取付孔６１内でスピーカユニット１が次第に上昇してゆく。そして、図７（ｄ）に示すように、フランジ部５が天井６０の表側６０ａに当接する位置で、ストッパー片３１とフランジ部５との間に取付孔６１の内周縁６１ａが挟持される。これにより、取付孔６１内でのスピーカユニット１の固定（本固定）がなされる。
【００４５】
なお、上記の仮止め状態（図７（ｃ）に示す状態）において、仮止めを解除してスピーカユニット１を取付孔６１から抜き取るには、天井６０の表側６０ａにおけるフランジ部５との隙間Ｘに手の指を挿入し、この指で仮止めタブ１１の操作部１５を押圧操作する。これにより、仮止めタブ１１が内径側へ弾性変形することで、取付孔６１の内周縁６１ａに対する係合部１３の係合が外れ、仮止めが解除される。その後、スピーカユニット１を手で支えながら下降させて取付孔６１から抜き取ることができる。このとき、キャビネット部２の底面２ａを手の平で支えながら、その手の指を上記の隙間Ｘに差し込んで仮止めタブ１１の操作部１５を押圧操作することができる。これにより、重量物であるスピーカユニット１を手の平で確実に支えながら仮止めタブ１１の係合を解除できるので、仮止めの解除を安全かつ迅速に行うことが可能となる。
【００４６】
次に、天井６０の取付孔６１に設置されているスピーカユニット１を取り外す手順を説明する。図８は、この手順を説明するための図である。取付孔６１に設置されているスピーカユニット１を取り外すには、図８（ａ）に示すように、ストッパー片３１が固定位置にある状態で、ネジ軸３３を時計回りに回転させる。これにより、ストッパー片３１が上昇することで、ストッパー片３１とフランジ部５とによる取付孔６１の内周縁６１ａの挟持が解除される。さらにネジ軸３３を回転させることで、ストッパー片３１がさらに上昇して、取付孔６１内でスピーカユニット１が次第に下降してゆく。そして、仮止めタブ１１の係合部１３が天井６０の裏側６０ｂ（取付孔６１の内周縁６１ａ）に当接する位置で、スピーカユニット１の下降が停止する。これにより、図８（ｂ）に示すように、仮止め機構１０による仮止め状態となる。その後、さらにネジ軸３３を回転させると、図８（ｃ）に示すように、ストッパー片３１が開口３５ａ内を最上位置まで上昇し、そこから９０°回転して初期位置に戻る。
【００４７】
そして、この仮止め状態で天井６０の表側６０ａにおけるフランジ部５との隙間Ｘに指を挿入し、この指で仮止めタブ１１の操作部１５を押圧操作する。これにより、取付孔６１の内周縁６１ａに対する係合部１３の係合が外れ、仮止めが解除される。このときにも、キャビネット部２の底面２ａを手の平で支えながら、その手の指を上記の隙間Ｘに差し込んで仮止めタブ１１の操作部１５を押圧操作することができる。その後、図８（ｄ）に示すように、スピーカユニット１を手で支えながら徐々に下降させて取付孔６１から抜き取る。こうして、スピーカユニット１を取付孔６１から取り出すことができる。
【００４８】
以上説明したように、本実施形態のスピーカユニット１が備える仮止め機構１０は、取付孔６１の内周縁６１ａに係合する係合部１３を有する仮止めタブ１１を備える。そして、仮止めタブ１１の係合部１３が取付孔６１の内周縁６１ａに係合した仮止め状態で、天井６０の表側６０ａから取付孔６１とキャビネット部２（フランジ部５）との隙間Ｘに露出する仮止めタブ１１の操作部１５を押圧操作することが可能であり、仮止めタブ１１を押圧して弾性変形させることで、取付孔６１の内周縁６１ａに対する係合部１３の係合を解除可能である。
【００４９】
この構成により、天井６０の表側６０ａから仮止めタブ１１を押圧して弾性変形させるだけで、仮止め機構１０による仮止めを簡単に解除することができる。これにより、スピーカユニット１の取り付け又は取り外しの際に、仮止めタブ１１でスピーカユニット１を仮止めした状態で、天井６０の表側６０ａからの手作業による簡単な操作で仮止めを解除することが可能となる。したがって、スピーカユニット１の取り付け作業において、一度仮止めしたスピーカユニット１を何らかの事情で取り外したい場合や、スピーカユニット１の取り外し作業において、本固定を解除した後の仮止め状態のスピーカユニット１を取付孔６１から抜き取る場合の作業性を向上させることができる。
【００５０】
また、本実施形態の取付構造では、仮止め機構１０による仮止め状態で、天井６０の表側６０ａとスピーカユニット１のフランジ部５との間には、手の指を挿入可能な寸法の隙間Ｘが形成されるようになっている。そして、この隙間Ｘに挿入した指で仮止めタブ１１の操作部１５を押圧操作することが可能である。したがって、簡単な構成で、天井６０の表側６０ａからの手作業による簡単な操作のみで仮止めタブ１１による仮止めを解除することが可能となる。
【００５１】
また、本実施形態の仮止め機構１０では、上記の取付部１２、傾斜部１４、係合部１３、操作部１５を一体に備える弾性金属製の細板からなる仮止めタブ１１によって、係合部１３を取付孔６１の内周縁６１ａに係合させた仮止め状態で、天井６０の表側６０ａから操作部１５を押圧操作して、該操作部１５を窪み部７の奥側へ移動させることで、仮止めタブ１１を内径側へ弾性変形させることができる。これにより、取付孔６１の内周縁６１ａに対する係合部１３の係合を容易に解除できる。したがって、上記構成の仮止めタブ１１のみからなる部品点数を少なく抑えた簡単な構成の仮止め機構１０でありながら、天井６０の表側６０ａからの手作業などによる簡単な押圧操作で、スピーカユニット１の仮止めを解除可能となる。
【００５２】
また、仮止めタブ１１に取付部１２からキャビネット部２の径方向の外側かつ底面２ａ側に向かって傾斜方向に延伸する傾斜部１４を設けたので、キャビネット部２を取付孔６１に挿入する際に、この傾斜部１４が取付孔６１の内周縁６１ａに当接することで、係合部１３が取付孔６１の内周縁６１ａを乗り越えて該内周縁６１ａに係合するようになる。したがって、工具などを必要とせず、キャビネット部２を取付孔６１に挿入する簡単な作業だけでスピーカユニット１の仮止めが可能となる。
【００５３】
また、本実施形態では、仮止めタブ１１の操作部１５を配置するための窪み部７ａを底部カバー７に形成したことで、仮止め機構１０でスピーカユニット１を取付孔６１内に仮止めした状態で、この窪み部７ａを介して仮止めタブ１１の操作部１５を天井６０の表側６０ａとフランジ部５との隙間Ｘに露出させることができる。したがって、仮止め状態で天井６０の表側６０ａから隙間Ｘを介して仮止めタブ１１を押圧する操作が確実に行えるようになる。また、窪み部７ａによって押圧操作される仮止めタブ１１の可動スペースを確保できるので、仮止めタブ１１の押圧操作で係合部１３の係合を確実に解除することが可能となる。
【００５４】
また、本実施形態のスピーカユニット１では、１個ずつの仮止め機構１０とストッパー機構３０が、キャビネット部２の側面２ｃにおける一の平面６内に配置されている。この構成によれば、仮止め機構１０とストッパー機構３０がキャビネット部２の側面２ｃにおける径方向の外側の一方を向く一の平面６内に配置されていることで、スピーカユニット１の取り付け作業において、スピーカユニット１の中心軸Mに対して、位置の仮止め機構１０による仮止め位置と一のストッパー機構３０による本固定の位置とを同じ側とすることができる。したがって、仮止め機構１０によって仮止めしたスピーカユニット１を、ストッパー機構１０にて安定した状態で確実に本固定できるようになる。また、仮止め機構１０とストッパー機構１０が同一の面６内に配置されていることで、スピーカユニット１の取付作業の効率が向上する。
【００５５】
また、スピーカユニット１には、上記の仮止め機構１０とストッパー機構３０が周方向において等間隔に複数個ずつ（仮止め機構１０とストッパー機構３０の組が周方向において等間隔に複数組）設けられている。これにより、スピーカユニット１の仮止め及び本固定それぞれがスピーカユニット１の周方向の複数箇所で行われるようになる。したがって、スピーカユニット１の仮止め及び本固定を安定させることができる。
【００５６】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態では、スピーカユニット１を天井６０に設けた取付孔６１に取り付ける場合を説明したが、本発明にかかるスピーカユニット１は、天井６０以外にも、例えば、側壁や傾斜壁などに設けた取付孔に埋め込んで取り付けることも可能である。
【００５７】
また、上記実施形態に示す仮止めタブ１１の材質、形状、寸法などはいずれも一例であって、本発明にかかる仮止め片は、上記実施形態に示す以外の材質、形状、寸法を採用することも可能である。例えば、仮止め片は、その材質として、上記の弾性金属製の材料で構成する以外にも、弾性を有する材料であれば、各種合成樹脂材料（プラスチック、ＡＢＳ樹脂材、アクリル樹脂材など）やゴム材料からなる成型品などとして構成することも可能である。また、仮止め片の形状は、上記実施形態に示す薄板状の細片とする以外にも、例えば棒状などであってもよい。さらにいえば、本発明にかかる仮止め片は、上記の係合部と操作部に対応する部分を備えてさえいれば、必ずしも一体に形成された一部品で構成していなくてもよく、係合部、操作部、傾斜部などの各部が別体であってもよいし、操作部に対する操作に応じて適宜に分離し得る構成などであってもよい。また、仮止め片を一部品で構成する場合には、必ずしもその全体が弾性変形可能に構成されている必要は無く、一部のみが弾性変形することで係合部の係合及びその解除がなされるように構成してもよい。
【００５８】
また、仮止め片の操作部は、上記実施形態に示すように押圧操作される構成には限定されず、例えば、手前に起こすように操作するものや、横方向に移動させて操作するものなど、他の態様で操作される構成を採用することも可能である。
【００５９】
また、仮止めタブ１１の操作部１５を配置している底部カバー７の窪み部７ａは、上記のような矩形状の窪み（切り込み）とする以外にも、手の指を挿入することが可能な寸法（幅）及び形状であれば、上記実施形態に示す以外の形状や寸法であってもよい。したがって、例えば、底部カバー７における仮止めタブ１１の操作部１５に対応する位置及びその周辺をより広範囲に切り欠いた（取り除いた）形状などとすることも可能である。
【００６０】
また、上記実施形態に示すスピーカユニット１の具体的な形状は一例であって、スピーカユニットの各部は、上記実施形態に示す以外の形状としてもよい。例えば、キャビネット部２は、その軸方向から見た形状を図６に示すような概略三角形状とする以外にも、円筒形状など他の形状にすることもできる。その場合、仮止め機構１０やストッパー機構３０は、円筒形状のキャビネット部２の側面に直接設置するほか、当該側面に平面状の内底面（内側面）を有する矩形状の凹部などを形成し、その内底面に設置してもよい。
【００６１】
また、仮止め時の安定性の点において、スピーカユニット１に仮止め機構１０を複数設けることが好ましいが、仮止め機構１０はスピーカユニット１に少なくとも１つ設けられていればよい。以上の説明から明らかなとおり、仮止め機構１０はスピーカユニット１に少なくとも１つ設けていれば、部品点数を少なく抑えた簡単な構成で、取付部位６０の表側からの簡単な操作のみで、スピーカユニット１の仮止めおよび仮止め状態の解除を行うことができる。
【００６２】
また、上記実施形態に示すスピーカユニット１は、キャビネット部２の内部にドライバなどの構成部品を内蔵した状態でのユニットであるが、本発明にかかる取付構造を用いて天井や壁などの取付部位に取り付けるスピーカユニットとしては、天井などの取付部位の開口部に埋め込んで取り付けるキャビネット部を備えてさえいれば、該キャビネット部に構成部品の一部又はすべてを内蔵していない状態のものも含むことができる。すなわち、スピーカユニットとして箱状のキャビネット部のみを備えたものを本発明の取付構造にて天井の開口部などに取り付け、その後、当該キャビネット部に構成部品を収容することなども可能である。
【符号の説明】
【００６３】
１・・・スピーカユニット、２・・・    キャビネット部、２ａ・・・底面、２ｃ・・・側面、４・・・スピーカ面、５・・・フランジ部、６・・・面（平面状の面）、７・・・底部カバー、７ａ・・・窪み部、７ｃ・・・外周面、１０・・・仮止め機構、１１・・・仮止めタブ（仮止め片）、１２・・・取付部、１３・・・係合部、１４・・・傾斜部、１５・・・操作部、３０・・・ストッパー機構（固定機構）、３１・・・ストッパー片、３３・・・ネジ軸、６０・・・天井（取付部）、６０ａ・・・表側（下側）、６０ｂ・・・裏側（上側）、６１・・・取付孔（開口部）、６１ａ・・・内周縁、６５・・・取付用金具、Ｘ・・・    隙間、Ｙ・・・間隔
【図１】
2014017810.tif 000003
【図２】
2014017810.tif 000004
【図３】
2014017810.tif 000005
【図４】
2014017810.tif 000006
【図５】
2014017810.tif 000007
【図６】
2014017810.tif 000008
【図７】
2014017810.tif 000009
【図８】
2014017810.tif 000010